(57)【要約】【課題】配線のためのスペースが小さくてあまり目立たずに配線することができ、しかも必要に応じて防護、難燃性・耐火性、防水性等の機能を持たせることができ、作業性のよい安価な配線材と配線方法を提供する。【解決手段】配線ケーブル１を熱収縮チューブ２で覆い、熱収縮チューブ２を加熱収縮させて壁面、天井面又は床面上に直接固定する。熱収縮チューブ２には、難燃性又は耐火性、あるいはその両方の特性を備えたものを用いることができ、配線ケーブル１と熱収縮チューブ２との間には、防水性を有するジェリー又はテープ、或いは、保護材を配することができる。また、熱収縮チューブ２内に固定枕６を配すると共に外面側に接着シート７を付与して接着固定を可能とし、熱収縮チューブの外面に、布設する壁面に適合した装飾テープ８を貼りつけ、或いは、装飾塗料を塗布して見栄えをよくする。【選択図】図２
2005237126.tif 000002
【特許請求の範囲】
【請求項１】
配線ケーブルが熱収縮性の樹脂チューブで覆われ、前記樹脂チューブが加熱収縮されていることを特徴とする配線材。
【請求項２】
前記熱収縮性の樹脂チューブは、難燃性又は耐火性、或いはその両方を備えていることを特徴とする請求項１に記載の配線材。
【請求項３】
前記配線ケーブルと前記熱収縮性の樹脂チューブとの間に、防水性を有するジェリー又はテープ、或いはその双方が配されていることを特徴とする請求項１又は２に記載の配線材。
【請求項４】
前記配線ケーブルと前記熱収縮性の樹脂チューブとの間に、保護材が配されていることを特徴とする請求項１又は２に記載の配線材。
【請求項５】
前記配線ケーブルと前記熱収縮性の樹脂チューブとの間に固定枕が配され、前記樹脂チューブの外面側に接着材が付与さていることを特徴とする請求項１又は２に記載の配線材。
【請求項６】
前記熱収縮性の樹脂チューブの外面に、布設壁に適合した装飾テープが貼りつけられ又は装飾塗料が塗布されていることを特徴とする請求項１〜５のいずれか１項に記載の配線材。
【請求項７】
請求項１〜６のいずれか１項に記載の配線材を壁面、天井面又は床面上に直接固定することを特徴とする配線ケーブルの配線方法。
【発明の詳細な説明】
【技術分野】
【０００１】
本発明は、室の壁面、天井面、床面等に這わせて配線される電気ケーブルや光ケーブルの配線材と配線方法に関する。
【背景技術】
【０００２】
情報通信の発達により宅内やオフィス等において、パソコン等の情報機器の設置或いは増設で電気ケーブルや光ファイバケーブル（以下、配線ケーブルという）を追加配線することが多くなっている。この配線ケーブルは、通常、室の壁面や床面に這わせて配線されるが、通常は、配線カバーや配線ダクト等と言われている配線部材が用いられる。これらの配線部材は、壁面や床面に露出する配線ケーブルを収納して見苦しくしないようにすることと、引っ掛けたりしないように固定するという機能を持っている。また、配線ケーブルの本数が多い場合は、これを束ねる場合にも用いられる。
【０００３】
これらの配線部材は、一般に、長尺のものを配線長さに応じて切断し、これに適宜コーナ部材を組み合わせて壁面や床面に、ビス又は接着シート等の固着部材を用いて固定される。また、配線を目立たせないように壁面の色と同系統の色のものを用いたり、塗装したりして見栄えをよくしている。さらに、配線ケーブルは、そのケーブル外被部分に防護・難燃・耐火性能を持たせることができるが、配線ケーブルを配線部材内に収納する際に、テープ又はシート状の防護・難燃・耐火材料を巻付けるなどして、その性能を付与することも行なわれている。
【０００４】
また、配線部材は、金属或いは樹脂により形成されたベース体と蓋体からなり、蓋体をベース体に弾性的に係着させる着脱可能な構成となっている（例えば、特許文献１、特許文献２参照）。
【特許文献１】特開２００２−５１４２７号公報
【特許文献２】特開２０００−３４１８２７号公報
【発明の開示】
【発明が解決しようとする課題】
【０００５】
しかしながら、従来の配線部材は、布設される配線ケーブルそのものに比べてかなり大きなスペースを必要とし、露出配線する場合は、壁面や床面からは大きく突出して見栄えが悪いのに加えて、配線部材自体を壁面等に設置固定するという作業があり、そのための作業費用が生じる。また、簡略的に配線部材を用いずに配線ケーブルを直接壁面や床面に取付けることもある。この場合、配線ケーブル自体の外被に、防護・難燃・耐火性を持たせたり、壁面と同系の色とすることは可能である。しかし、１軒の宅内配線で例えば、壁の色が異なる場合は、複数の色の配線ケーブルを準備する必要があり、配線場所によって要求される機能も異なるため、実際上はかなり非効率なものとなる。
【０００６】
本発明は、上述した実情に鑑みてなされたもので、配線のためのスペースが小さくてあまり目立たずに配線することができ、しかも必要に応じて防護、難燃性・耐火性、防水性等の機能を持たせることができ、作業性のよい安価な配線材と配線方法の提供を課題とする。
【課題を解決するための手段】
【０００７】
本発明による配線材及び配線方法は、配線ケーブルを熱収縮性の樹脂チューブで覆い、樹脂チューブを加熱収縮させて壁面、天井面又は床面上に直接固定する。熱収縮性の樹脂チューブには、難燃性又は耐火性、あるいはその両方の特性を備えたものを用いることができ、配線ケーブルと熱収縮性の樹脂チューブとの間には、防水性を有するジェリー又はテープ、或いは、保護材を配することができる。また、樹脂チューブ内に固定枕を配すると共に外面側に接着材を付与して接着固定を可能とし、熱収縮性の樹脂チューブの外面に、布設する壁面に適合した装飾テープを貼りつけ、或いは、装飾塗料を塗布して見栄えをよくする。
【発明の効果】
【０００８】
本発明は、配線ケーブルを熱収縮性の樹脂チューブで覆うことにより、配線ケーブルを保護することができ、難燃性や耐火性等の機能を持たせることができる。また、配線ケーブルと熱収縮性の樹脂チューブとの間に所定の機能を持たせる材料を配することもできる。このため、従来の配線カバーや配線ダクト等の配線部材を用いることなく、配線ケーブルを壁面に直接固定する形態で布設することを可能とし、また、布設個所において必要な機能を備えた配線材を容易に揃えることができ、コスト的にも安価なものとすることができる。さらに、配線のためのスペースを少なくでき、見栄えをよくすることもできる。
【発明を実施するための最良の形態】
【０００９】
図により本発明の実施の形態を説明する。図１は本発明による配線材を用いて、壁面及び床面等への配線形態の概略を示す図、図２は本発明による配線材の構成例を示す図である。図中、１は配線ケーブル、２は熱収縮性の樹脂チューブ（熱収縮チューブ）、３は防水材、４は保護材、５は固定具、６は固定枕、７は接着シート、８は装飾テープを示す。
【００１０】
本発明による配線材Ｍは、図１に示すように、宅内やオフィス等の室内の壁面や床面に直接這わせて布設される。配線材Ｍは、既設の壁面に埋め込み又は露出状態で設けられたアウトレットＰや分岐装置Ｓ等の配線器具を介して接続され、従来の保護カバーや配線ダクトと同様に、室の壁面や床面に露出する形態で、固定具或いは接着シートにより固定される。
【００１１】
本発明による配線材Ｍは、図２（Ａ）に示すように配線ケーブル１を熱収縮性の樹脂チューブ２（以下、熱収縮チューブという）で覆い、この熱収縮チューブ２を加熱収縮した構成を基本構成とする。配線ケーブル１としては、例えば、電源線、通信線、制御線等の電線を１本以上収納した電気ケーブル、又は、１本以上の光ファイバを収納した光ファイバケーブルである。熱収縮チューブ２は、ポリオレフィン、フッ素ポリマー、熱可塑性エラストマーなどの樹脂材料で形成されたものが用いられる。この熱収縮チューブ２は、加熱により主として径方向に収縮する樹脂チューブで、単に加熱することで物品への被覆が比較的安価で簡単に行なうことができ、電線類の結束や耐熱、絶縁、防水、防食等の各種物品保護に広く使用されているものである。
【００１２】
熱収縮チューブ２は、配線ケーブル１を被覆して保護する以外に、図２（Ｂ）に示すように複数本の配線ケーブル１を平行に収納することで、複数本の配線ケーブルを結束させることもできる。熱収縮チューブ２の熱収縮方法としては、布設される配線部所に応じた長さの配線ケーブルを、多少長め（１０〜１５％程度長く）の熱収縮チューブ内に挿入し、恒温槽、加熱炉等で１００℃前後の加熱雰囲気で加熱するのが望ましい。加熱炉等がない場合の簡易的な方法としては、ドライヤーや熱水を用いて加熱収縮させることもできる。また、所定長さ以上の配線ケーブルを予め熱収縮チューブで被覆しておき、布設現場で所定長さに切断して使用するようにしてもよい。
【００１３】
また、熱収縮チューブ２としては、通常、各種サイズで複数色のものが用意されているので、使用される配線ケーブル及び束ねられる本数により適宜サイズを選定し、また、配線する室の壁や雰囲気に合わせて色を選択する。熱収縮チューブ２によって保護被覆された配線ケーブル１は、配線材Ｍとして室の壁面上或いは床面上に、図２（Ａ）又は（Ｂ）に示すように、例えば、固定具５等を用いて直接固定することができる。このため、従来の保護カバーや配線ダクトを用いて配線する場合と比べると、配線スペースを大幅に縮小することができ、また、コーナ部分の配線も単に曲げるだけで済み、配線作業も極めて容易になる。
【００１４】
さらに、熱収縮チューブ２として、難燃性又は耐火性を持たせたものを用いることができる。配線ケーブル１の外被材料に難燃性・耐火性のものを用い、配線ケーブル自体にこれらの機能を持たせたものも広く知られている。しかし、本発明においては、配線ケーブル自体がこれらの機能を備えていなくても、熱収縮チューブにより難燃性又は耐火性を持たせることが可能となる。
【００１５】
配線ケーブル１を熱収縮チューブ２で覆うに際して、配線ケーブル１と熱収縮チューブ２との間に種々の機能を有する材料を介在させることもできる。図２（Ｃ）に示すように、例えば、配線ケーブルの防水性を高めるために、配線ケーブル１と熱収縮チューブ２との間に防水のためのジェリーや防水テープ等の防水材３を介在させたりすることができる。これにより、光ファイバケーブルの場合は、ケーブル内への浸水を抑制し、光ファイバ内への水素浸入による損失増加を防止することができる。また、電気ケーブルである場合は、絶縁抵抗が低下するのを防止することができる。
【００１６】
また、配線ケーブルが外力を受け易く、外力から保護する必要があるような場所に布設される場合には、図２（Ｄ）示すように配線ケーブル１と熱収縮チューブ２との間に保護材４を配することができる。保護材４は、金属又は機械的強度のある樹脂材で形成され、少なくとも配線ケーブル１の半円周分を囲む形状で、２つの保護材で配線ケーブルのほぼ全周を囲むようにして配することができる。なお、保護材４は、配線ケーブル１の一方の側が壁面となることから、例えば、断面がＵ字状やかまぼこ状で壁面側が開放された形状のものを用いることができる。
【００１７】
配線ケーブル１を熱収縮チューブ２で被覆した配線材Ｍは、固定具５で壁面に直接固定する以外に、従来の保護カバーや配線ダクトと同様に、壁面に接着によって直接固定することができる。しかし、図２（Ａ）のように配線ケーブルが単心ケーブルで円形である場合は、壁面との接触が線状となるため十分な接着面を確保することができない。そこで、図２（Ｅ）に示すように、配線ケーブル１と熱収縮チューブ２の間に、固定枕６のようなものを配する。この固定枕６は、配線ケーブル１の全長に亘って配してもよく、或いは適当な間隔で配してもよい。固定枕６により、熱収縮チューブ２の外面に平坦な接着面を確保することができ、ここに予め、接着シート７等の接着材を貼りつけておくことにより、配線作業をさらに容易にすることができる。
【００１８】
また、図２（Ｆ）に示すように、熱収縮チューブ２の外面に装飾テープ８を貼りつけて使用するか、又は、装飾テープに代えて装飾塗料を塗布して使用するようにしてもよい。使用する熱収縮チューブ２の色を選択することで、配線ケーブルの色に関する違和感を改善して見栄えをよくすることは可能であるが、満足できる色調の熱収縮チューブが用意されていないこともある。このような場合は、壁面に適合する装飾テープを貼りつけたり、装飾塗料を塗布することで対応させることができる。これにより、予め用意する熱収縮チューブの色の種類数を少なくすることができ、在庫管理の面からは大きな利点となる。
【００１９】
また、本発明では、上述した種々の機能を任意に組合わせて使用することができる。図２（Ｆ）には、上記の装飾テープを付与する他に、例えば、図２（Ｄ）の保護材４と図２（Ｅ）の固定枕６とを配線ケーブル１と熱収縮チューブ２の間に配した例で示してある。本発明では、上述した各種の機能を組合わせることで、布設個所の雰囲気や環境に合わせた機能を有する配線材を容易に提供することができ、作業性のよいコスト的にも安価な配線を実施することができる。
【図面の簡単な説明】
【００２０】
【図１】本発明による配線材Ｍを用いて、壁面及び床面等への配線形態の概略を示す図である。
【図２】本発明による配線材の種々の構成例を示す図である。
【符号の説明】
【００２１】
１…配線ケーブル、２…熱収縮チューブ、３…防水材、４…保護材、５…固定具、６…固定枕、７…接着シート、８…装飾テープ。
【図１】
2005237126.tif 000003
【図２】
2005237126.tif 000004